(57)【要約】【課題】部品内の構造を複雑化させることなく、操作軸に対する押圧操作、引張操作及び回転操作を検出すること。【解決手段】操作者からの操作を受け付ける巻真２と、巻真２の軸線方向への押圧操作又は引張操作を検出する第１検出部と、巻真２に対する回転操作を検出する第２検出部とを備え、巻真２に、第１検出部の検出状態を切り替える第１検出状態切替部（保持部２０２）と、第２検出部の検出状態を切り替える第２検出状態切替部（当接部２０３）とを設けたことを特徴とする。【選択図】図１
2009037790.tif 000002
【特許請求の範囲】
【請求項１】
操作者からの操作を受け付ける操作軸と、前記操作軸の軸線方向への押圧操作及び引張操作を検出する第１検出部と、前記操作軸に対する回転操作を検出する第２検出部とを備え、前記操作軸に、前記第１検出部の検出状態を切り替える第１検出状態切替部と、前記第２検出部の検出状態を切り替える第２検出状態切替部とを設けたことを特徴とする複合操作型電子部品。
【請求項２】
前記第１検出状態切替部は、前記第１検出部に連結された連結部材の一部を保持する保持部であることを特徴とする請求項１記載の複合操作型電子部品。
【請求項３】
前記第２検出状態切替部は、前記操作軸の回転に応じて前記第２検出部と当接する当接部であることを特徴とする請求項１又は請求項２記載の複合操作型電子部品。
【請求項４】
前記第２検出状態切替部は、前記操作軸の押圧操作方向の先端部に設けられ、前記第１検出状態切替部は、前記第２検出状態切替部よりも前記操作軸の押圧操作方向の後方側に設けられることを特徴とする請求項１から請求項３のいずれかに記載の複合操作型電子部品。
【発明の詳細な説明】
【技術分野】
【０００１】
本発明は、複合操作型電子部品に関し、特に、操作軸に対する押圧操作、引張操作及び回転操作を受け付ける複合操作型電子部品に関する。
【背景技術】
【０００２】
従来、単一の操作軸を備え、操作軸に対する軸線方向への押圧操作と、操作軸に対する回転操作とを検出する複合操作型電子部品が提案されている（例えば、特許文献１参照）。
【特許文献１】特開２００３−３０３５３２号公報
【発明の開示】
【発明が解決しようとする課題】
【０００３】
しかしながら、上述したような従来の複合操作型電子部品においては、操作軸に対する引張操作を検出することができない。仮に、このような複合操作型電子部品において操作軸に対する引張操作を検出する場合には、部品内部の構造が複雑になるという問題がある。
【０００４】
本発明はかかる問題点に鑑みて為されたものであり、部品内の構造を複雑化させることなく、操作軸に対する押圧操作、引張操作及び回転操作を検出することができる複合操作型電子部品を提供することを目的とする。
【課題を解決するための手段】
【０００５】
本発明の複合操作型電子部品は、操作者からの操作を受け付ける操作軸と、前記操作軸の軸線方向への押圧操作又は引張操作を検出する第１検出部と、前記操作軸に対する回転操作を検出する第２検出部とを備え、前記操作軸に、前記第１検出部の検出状態を切り替える第１検出状態切替部と、前記第２検出部の検出状態を切り替える第２検出状態切替部とを設けたことを特徴とする。
【０００６】
上記複合操作型電子部品によれば、操作軸に、第１検出部の検出状態を切り替える第１検出状態切替部と、第２検出部の検出状態を切り替える第２検出状態切替部とを設けたことから、単一の操作軸を操作するだけで第１、第２検出部における検出状態を切り替えることができるので、部品内の構造を複雑化させることなく、操作軸に対する押圧操作、引張操作及び回転操作を検出することが可能となる。
【０００７】
上記複合操作型電子部品において、例えば、前記第１検出状態切替部は、前記第１検出部に連結された連結部材の一部を保持する保持部で構成される。この場合には、操作軸に設けられる保持部により第１検出部に連結された連結部材の一部が保持されるので、操作軸に対する押圧操作及び引張操作に応じて確実に第１検出部の検出状態を切り替えることが可能となる。
【０００８】
また、上記複合操作型電子部品において、例えば、前記第２検出状態切替部は、前記操作軸の回転に応じて前記第２検出部と当接する当接部で構成される。この場合には、操作軸に設けられる当接部が第２検出部と当接することから、操作軸に対する回転操作に応じて確実に第２検出部の検出状態を切り替えることが可能となる。
【０００９】
さらに、上記複合操作型電子部品において、前記第２検出状態切替部は、前記操作軸の押圧操作方向の先端部に設けられ、前記第１検出状態切替部は、前記第２検出状態切替部よりも前記操作軸の押圧操作方向の後方側に設けられることが好ましい。この場合には、操作軸の異なる部分で第１、第２検出部における検出状態が切り替えられるので、誤動作を生じさせることなく確実に第１、第２検出部における検出状態を切り替えることが可能となる。
【発明の効果】
【００１０】
本発明によれば、操作軸に、操作軸の軸線方向への押圧操作及び引張操作を検出する第１検出部の検出状態を切り替える第１検出状態切替部と、操作軸に対する回転操作を検出する第２検出部の検出状態を切り替える第２検出状態切替部とを設けたことから、単一の操作軸を操作するだけで第１、第２検出部における検出状態を切り替えることができるので、部品内の構造を複雑化させることなく、操作軸に対する押圧操作、引張操作及び回転操作を検出することが可能となる。
【発明を実施するための最良の形態】
【００１１】
以下、本発明の一実施の形態について添付図面を参照して詳細に説明する。本実施の形態に係る複合操作型電子部品（以下、単に「電子部品」という）は、挿抜可能な操作軸を備えるものであり、例えば、運針状態と指針修正状態とを切り換える操作軸としての巻真を挿抜可能な時計に好適なものである。以下においては、適宜、本実施の形態に係る電子部品が時計に適用される場合について説明する。しかし、本実施の形態に係る電子部品が適用される対象としては、時計に限定されるものではなく、適宜変更が可能である。
【００１２】
図１は、本発明の一実施の形態に係る電子部品１００の分解斜視図である。図２は、本実施の形態に係る電子部品１００が有するケースの上面図である。図３は、本実施の形態に係る電子部品１００が有する保持部材の構成を説明するための模式図である。図４は、本実施の形態に係る電子部品１００の外観を示す斜視図である。図５は、図４に示す状態の電子部品１００からカバー部材を省略した斜視図である。以下においては、適宜、図１に示す左下方側を「電子部品１００の前方側」又は「前方側」と呼び、同図に示す右上方側を「電子部品１００の後方側」又は「後方側」と呼ぶものとする。図２においては、同図に示す下方側が電子部品１００の前方側に対応し、同図に示す上方側が電子部品１００の後方側に対応する。
【００１３】
図１に示すように、本実施の形態に係る電子部品１００は、筐体を構成するケース１と、操作軸を構成する巻真２と、カバー部材３とを有している。本実施の形態に係る電子部品１００においては、巻真２を回転可能に保持すると共に、後述する他の構成部品を収納した状態のケース１に対してカバー部材３が固定される。以下、本実施の形態に係る電子部品１００の構成部品について説明する。
【００１４】
ケース１は、例えば、合成樹脂材料などの絶縁材料を成型して形成され、図１に示す上方側に開口した形状を有している。ケース１の対向する一対の側面には、切り欠き部１０１ａ、１０１ｂが形成されている。切り欠き部１０１ａ、１０１ｂは、概して上方側に開口した半円形状を有し、巻真２を回転可能に収容する大きさに設けられている。切り欠き部１０１ａ、１０１ｂと同一の側面であって、電子部品１００の前方側の端部近傍には、溝部１０２ａ、１０２ｂが形成されている。溝部１０２ａ、１０２ｂには、後述する板ばね８の端部が固定される。切り欠き部１０１ａ、１０１ｂが形成されていない側面の外壁には、後述するカバー部材３の開口部３０５ａ、３０５ｂ（なお、図１においては、係合片３０５ｂは不図示）と係合する係合片１０３ａ、１０３ｂが形成されている（なお、図１においては、係合片１０３ｂは不図示）。
【００１５】
ケース１の内部には、特に図２に示すように、ケース１の底面から上端部近傍まで延在する壁部１０４及び壁部１０５が形成されている。壁部１０４は、切り欠き部１０１ａ、１０１ｂよりも僅かに後方側の位置に形成され、壁部１０５は、切り欠き部１０１ａ、１０１ｂよりも僅かに前方側の位置に形成されている。壁部１０４及び壁部１０５は、ケース１の左右方向の全域に亘って形成されており、ケース１の内部を３つの空間に仕切っている。以下においては、説明の便宜上、壁部１０４とケース１の後方側の内壁とで形成される空間を第１空間１ａと呼び、壁部１０４と壁部１０５とで形成される空間を第２空間１ｂと呼び、壁部１０５とケース１の前方側の内壁とで形成される空間を第３空間１ｃと呼ぶものとする。
【００１６】
壁部１０４の中央部には、後述するピン１０が挿入される円形状の穴部１０４ａが形成されている。また、壁部１０４の前方側の壁面には、後述する保持部材６の切り欠き部６０３ｂと係合する係合片１０４ｂが形成されている。壁部１０５の後方側には、ケース１の左右方向に延在する溝部１０５ａが形成されている。溝部１０５ａの中央には、ケース１の底面を貫通する開口部１０５ｂが形成されている。また、壁部１０５の後方側の壁面には、後述する保持部材６の切り欠き部６０３ａと係合する係合片１０５ｃが形成されている。さらに、壁部１０５の前方側の壁面には、後方側に凹んだ凹部１０５ｄが形成されている。凹部１０５ｄの近傍には、前方側に僅かに突出する一対の突出部１０５ｅ、１０５ｆが形成されている。
【００１７】
ケース１の底面には、複数の端子１０６が設けられている。これらの端子１０６は、例えば、ケース１の製造時にインサート成形される。第１空間１ａの底面には、複数の端子１０６ａ〜１０６ｃが設けられている。これらの端子１０６ａ〜１０６ｃは、固定接点を構成し、後述する摺動子５の一部が接触する。端子１０６ａ〜１０６ｃの一部は、図２に示すケース１の左上方側の側面の下面から外部に導出され、外部の制御装置に信号出力可能に構成されている。
【００１８】
第２空間１ｂの底面には、図２に示すケース１の左方側部分に開口部１０７ａが形成されている。また、係合片１０４ｂ及び係合片１０５ｃに対応する部分には、開口部１０７ｂ及び１０７ｃが形成されている。開口部１０７ａに対応する位置には、端子１０６ｄ及び１０６ｅが設けられている。これらの端子１０６ｄ及び１０６ｅは、固定接点を構成し、後述する保持部材６の一部が接触する。端子１０６ｄ及び１０６ｅは、それぞれ開口部１０７ａの中央近傍で前方側及び後方側に延在する腕部を有し、この腕部の先端は上方側に折り曲げられている。端子１０６ｄ及び１０６ｅの一部は、図２に示すケース１の左下方側の側面の下面から外部に導出され、外部の制御装置に信号出力可能に構成されている。なお、第２空間１ｂの底面であって、開口部１０７ｂ及び１０７ｃの周囲には、上述した端子１０６ｂの一部が設けられている。
【００１９】
第１空間１ａには、スライド部材４が左右方向に往復移動可能に収容される。スライド部材４は、例えば、合成樹脂材料などの絶縁材料を成型して形成され、図１に示す下方側に開口した開口部４０１を有している。スライド部材４の上面であって、後方側の中央付近には、概して円柱形状を有する突出片４０２が形成されている。この突出片４０２は、後述する連結アーム１１の切り欠き部１１０２と係合する位置に形成されている。
【００２０】
スライド部材４の開口部４０１には、摺動子５が固定される。摺動子５には、その上面に複数の孔部５０１が形成されている。これらの孔部５０１に対してスライド部材４の下面に形成された突起部（不図示）を嵌め込むことでスライド部材４に摺動子５が固定される。摺動子５は、導電性を有する金属板を所定形状に打ち抜いた後、折り曲げ加工することで形成される。摺動子５は、図１に示す右方側の端部で下方側に折り曲げられた３つの腕部５０２ａ〜５０２ｃを有している。これらの腕部５０２ａ〜５０２ｃは、可動接点を構成し、スライド部材４が第１空間１ａに収容された状態において、端子１０６ａ〜１０６ｃに接触する。
【００２１】
第２空間１ｂには、巻真２の先端部を弾性的に保持する保持部材６が固定される。保持部材６は、例えば、導電性を有する金属板を所定形状に打ち抜いた後、折り曲げ加工を施すことで形成され、第２空間１ｂの底面に載置される基部６０１と、この基部６０１から左方側に延在する一対の腕部６０２ａ、６０２ｂとを有している。腕部６０２ａ、６０２ｂの右上方側の端部近傍には、切り欠き部６０３ａ、６０３ｂが形成されている。第２空間１ｂに収容された状態において、切り欠き部６０３ａ、６０３ｂにそれぞれ係合片１０４ｂ、１０５ｃが係合する。これにより、保持部材６が第２空間１ｂ内で固定される。
【００２２】
腕部６０２ａ、６０２ｂの先端部近傍には、前方側及び後方側に突出する突起部６０２ｃ、６０２ｄが設けられている（図１において、突起部６０２ｄは不図示）。これらの腕部６０２ａ、６０２ｂは、可動接点を構成し、突起部６０２ｃ、６０２ｄが端子１０６ｄ、１０６ｅに接触する。腕部６０２ａ、６０２ｂの先端には、合成樹脂材料などの絶縁材料を成型して形成される保持片６０４ａ、６０４ｂが取り付けられている。これらの保持片６０４ａ、６０４ｂは、巻真２が回転した場合に時間的にずれて突起部６０２ｃ、６０２ｄを端子１０６ｄ、１０６ｅに接触させる形状を有している。
【００２３】
ここで、保持部材６が有する保持片６０４ａ、６０４ｂと、巻真２との関係について図３を用いて説明する。図３は、保持片６０４ａ、６０４ｂの近傍を電子部品１００の左方側から示す拡大図である。図３（ａ）においては、後述する巻真２の平面部２０３ｂが保持片６０４ａ、６０４ｂと対向配置された状態（図１に示す巻真２に対して９０度回転操作が入力された状態）について示している。図３（ａ）に示すように、保持片６０４ａ、６０４ｂは、互いに対向する保持面６０５ａと、保持面６０５ａの上端部に形成されたテーパ面６０５ｂとを有している。
【００２４】
巻真２が図３に示す矢印方向に回転した場合、図３（ｂ）に示すように、まず、巻真２の同図に示す下端部が保持片６０４ａの下方側端部に当接する。これにより、腕部６０２ａが図３に示す右方側に押圧され、不図示の突起部６０２ｃが端子１０６ｅに接触する。この場合において、巻真２の上端部は、保持片６０２ｂのテーパ面６０５ｂに対応する位置に配置され、保持片６０２ｂと当接していない。このため、腕部６０２ｂが端子１０６ｄ側に押圧されることはない。
【００２５】
図３（ｂ）に示す状態から、更に巻真２が回転すると、図３（ｃ）に示すように、巻真２の同図に示す上端部が保持片６０４ｂのテーパ面６０５ｂに当接する。これにより、腕部６０２ｂが図３に示す左方側に押圧され、不図示の突起部６０２ｄが端子１０６ｄに接触する。このように、本実施の形態に係る電子部品１００においては、巻真２の回転に応じて保持部材６に設けられた突起部６０２ｃ、６０２ｄが時間的にずれた状態で端子１０６ｅ、１０６ｄに当接するように構成されている。
【００２６】
溝部１０５ａには、巻真２と後述する連結アーム１１との係合を解除する当接部材７が収容される。当接部材７は、例えば、合成樹脂材料などの絶縁材料を成型して形成され、前方側から見た場合に、概してＴ字形状を有している。当接部材７は、開口部１０５ｂに対応する位置に脚部７０１を有している。溝部１０５ａに収容された状態において、当接部材７の上面は、壁部１０５の上面と略同一の高さの位置に配置され、脚部７０１は、開口部１０５ｂを介してケース１の下面から僅かに突出した状態とされる。詳細について後述するように、ケース１の下方側から脚部７０１が上方側に押圧されると、当接部材７の上面が壁部１０５の上面から突出した状態とされる。
【００２７】
第３空間１ｃには、板ばね８が収容される。板ばね８は、弾性を有する金属板を所定形状に打ち抜くことで形成され、ケース１の左右方向の全域に亘る長さを有している。板ばね８は、その端部で溝部１０２ａ、１０２ｂに係合する一方、その中央付近の後方側部分で壁部１０５の突出部１０５ｅ、１０５ｆと当接するように第３空間１ｃに収容されている。このように収容される板ばね８と凹部１０５ｄとの間に、金属で形成された円柱形状を有する係合軸９が収容される。係合軸９は、その上方側の端部を壁部１０５よりも僅かに上方側に突出させた状態で収容される。
【００２８】
壁部１０４に形成された穴部１０４ａには、金属で形成された円柱形状を有するピン１０が挿入される。ピン１０は、その上方側の端部を壁部１０４よりも僅かに上方側に突出させた状態で固定される。この壁部１０４よりも突出した部分に、連結部材としての連結アーム１１が一定範囲で回動可能に取り付けられる。ピン１０の上面には、突起部１００１が設けられている。突起部１００１は、後述するカバー部材３の孔部３０４に係合する。
【００２９】
連結アーム１１は、弾性を有する金属板を所定形状に打ち抜くことで形成され、ケース１の前後方向の長さよりも僅かに短い長さを有している。連結アーム１１の中央付近には、円形状の孔部１１０１が形成されている。この孔部１１０１にピン１０を収容することで、連結アーム１１が一定範囲で回動可能にピン１０に取り付けられる。連結アーム１１の後方側の端部には、切り欠き部１１０２が形成されている。切り欠き部１１０２には、連結アーム１１がピン１０に取り付けられた状態において、スライド部材４の突出片４０２が収容される。また、孔部１１０１よりも僅かに前方側には、概して平面視にて円形状を有する第１係合部１１０３が形成されている。第１係合部１１０３は、後述する操作軸２の保持部２０２に保持される。さらに、第１係合部１１０３よりも前方側には、第２係合部１１０４が形成される。第２係合部１１０４は、概して前方側に向かって側方側に幅広になる形状を有し、その前方側の端部には、２つの凹部１１０４ａ、１１０４ｂが形成されている。これらの凹部１１０４ａ、１１０４ｂには、連結アーム１１の位置に応じて係合軸９が係合する。
【００３０】
カバー部材３は、例えば、金属板を所定形状に打ち抜いた後、折り曲げ加工を施すことで形成される。なお、カバー部材３を、合成樹脂材料などの絶縁材料を成型して形成することも可能である。カバー部材３は、上面部３０１と、この上面部３０１の側面から下方側に折り曲げられる側面部３０２ａ〜３０２ｄとを有している。上面部３０１には、ケース１内に配置された連結アーム１１の上面を付勢する付勢片３０３ａ、３０３ｂが形成されている。付勢片３０３ａ、３０３ｂは、上面部３０１の所定位置にスリットを形成し、このスリットの内部に形成される片を下方側に僅かに折り曲げることで形成される。また、付勢片３０３ａと、付勢片３０３ｂとの間には、円形状を有する孔部３０４が形成されている。孔部３０４は、壁部１０４に固定されたピン１０の突起部１００１を収容する。
【００３１】
カバー部材３における対向する一対の側面部３０２ａ、３０２ｂには、矩形の開口部３０５ａ、３０５ｂが形成されている（図１において、開口部３０５ｂは不図示）。開口部３０５ａ、３０５ｂは、ケース１の係合片１０３ａ、１０３ｂを収容する。また、対向する一対の側面部３０２ｃ、３０２ｄには、円形状の開口部３０６ａ、３０６ｂが形成されている（図１において、開口部３０６ａは不図示）。開口部３０６ａ、３０６ｂは、ケース１の切り欠き部１０１ａ、１０１ｂに対応する位置に形成され、巻真２を受け入れ可能に構成されている。
【００３２】
巻真２は、一定長さを有する金属製の棒状部材で構成される。図１においては、巻真２の右方側の先端に、使用者からの操作を受ける操作部としてのリューズ２０１が取り付けられた場合について示している。巻真２には、その中央よりも左方側の位置に、第１検出状態切替部としての保持部２０２が形成されている。保持部２０２は、巻真２の他の軸部分よりも小径にすることで形成されている。保持部２０２は、詳細について後述するように、巻真２がケース１に挿入された場合に連結アーム１１の第１係合部１１０３を保持可能に構成されている。この保持部２０２よりも左方側の位置に、第２検出状態切替部としての当接部２０３が設けられている。当接部２０３は、詳細について後述するように、巻真２がケース１に挿入される場合に連結アーム１１を保持部２０２に案内する。当接部２０３は、その先端部に形成された第１テーパ面２０３ａと、この第１テーパ面２０３ａよりも右方側に配置された平面部２０３ｂと、この平面部２０３ｂよりも右方側に配置された第２テーパ面２０３ｃとを有している。なお、平面部２０３ｂにおける前後方向の端部は、保持部材６の保持片６０４ａ、６０４ｂと当接し、腕部６０２ａ、６０２ｂを前方側、後方側に押圧する。
【００３３】
このような構成を有する電子部品１００を組み立てると、図４に示すように、摺動子５を固定したスライド部材４、保持部材６、当接部材７、板ばね８、係合軸９、ピン１０、並びに、連結アーム１１を組み込んだケース１の上方側からカバー部材３が被せられた状態となる。この場合において、カバー部材３は、開口部３０５ａ、３０５ｄでケース１の係合片１０３ａ、１０３ｂを収容することでケース１に固定されている。カバー部材３の孔部３０４には、ピン１０の突起部１００１が収容されている。また、カバー部材３の開口部３０６ａ、３０６ｂは、ケース１の切り欠き部１０１ａ、１０１ｂに対応する位置に配置されている。さらに、カバー部材３の付勢片３０３ａ、３０３ｂは、ケース１内の連結アーム１１の上面を付勢している。このようにカバー部材３の付勢片３０３ａ、３０３ｂで連結アーム１１を付勢することにより、連結アーム１１を付勢する付勢部材を別途設けることなく、部品の構成を簡素化する一方、部品点数を削減でき、部品製造に要するコストを低減している。
【００３４】
また、組み立てられた電子部品１００においては、右方側の側面から巻真２のリューズ２０１側の先端が突出した状態となっている。この場合において、巻真２は、ケース１に対して図４に示す矢印方向Ａ、Ｂ方向に回転可能に保持されている。このように組み立てられた電子部品１００は、例えば、リューズ２０１を外部に露出した状態で腕時計等に搭載される。
【００３５】
ケース１の内部においては、図５に示すように、第１空間１ａに摺動子５を固定したスライド部材４が収納されている。そして、第２空間１ｂには、保持部材６が固定され、第３空間１ｃには、板ばね８が取り付けられている。また、壁部１０４の穴部１０４ａには、ピン１０が挿入され、壁部１０５の凹部１０５ｄには、係合軸９が収容されている。さらに、壁部１０４の上面には、孔部１１０１でピン１０を収容するように連結アーム１１が取り付けられている。この場合において、連結アーム１１の切り欠き部１１０２には、スライド部材４の突出片４０２が収容され、第２係合部１１０４の凹部１１０４ａ又は１１０４ｂには、係合軸９が収容された状態となっている（図５においては、凹部１１０４ｂ）。
【００３６】
また、巻真２は、切り欠き部１０１ｂを介してケース１の内部に挿入されている。巻真２の当接部２０３は、保持部材６の腕部６０２ａ、６０２ｂで保持されている。当接部２０３の左方側の先端部は、切り欠き部１０１ａに対応する位置に配置されている。また、巻真２の保持部２０２は、連結アーム１１の第１係合部１１０３を保持した状態となっている。
【００３７】
このように組み立てられた電子部品１００においては、使用者から巻真２を介して行われる押圧／引張操作であるプッシュ／プル操作及び回転操作を検出する。プッシュ／プル操作は、摺動子５が固定されたスライド部材４と、ケース１の第１空間１ａに設けられた端子１０６ａ〜１０６ｃとから構成される第１検出部で検出される。回転操作は、当接部２０３を保持する保持部材６の腕部６０２ａ、６０２ｂと、ケース１の第２空間１ｂに設けられた端子１０６ｄ、１０６ｅとから構成される第２検出部で検出される。以下、本実施の形態に係る電子部品１００において、プッシュ／プル操作及び回転操作を検出する際の動作について図５を参照しながら説明する。
【００３８】
上述のように、連結アーム１１は、壁部１０４に挿入されたピン１０に回動可能に取り付けられている。そして、連結アーム１１の第１係合部１１０３は、巻真２の保持部２０２に保持されている。一方、スライド部材４の突出片４０２は、連結アーム１１の切り欠き部１１０２に収容されている。使用者からプッシュ／プル操作が行われると、巻真２の移動に応じて連結アーム１１がピン１０を支点として回動する。この連結アーム１１の回動に応じて、スライド部材４は、ケース１内を左右方向に移動する。この場合において、スライド部材４に固定された摺動子５は、端子１０６ａ〜１０６ｃ上を摺動する。
【００３９】
第１検出部においては、このような摺動子５の腕部５０２ａ〜５０２ｃと、端子１０６ａ〜１０６ｃとの接触状態の変化に応じて使用者から行われたプッシュ／プル操作を検出する。なお、本実施の形態に係る電子部品１００においては、初期状態で係合軸９が連結アーム１１の第２係合部１１０４の凹部１１０４ｂと係合した状態となっている（図５に示す状態）。初期状態からプッシュ操作が行われた場合、係合軸９が第２係合部１１０４の凹部１１０４ｂから解放され、凹部１１０４ｂの右方側の端部に配置された状態となる。なお、この状態から手を離すと、板ばね８のばね力で初期状態に戻る。また、プル操作が行われた場合、係合軸９が第２係合部１１０４の凹部１１０４ａと係合した状態となる。例えば、この状態で指針調整が行われる。この状態からさらにプル操作が行われた場合、係合軸９が第２係合部１１０４の凹部１１０４ａから解放され、凹部１１０４ａの左方側の端部に配置された状態となる。例えば、この状態で日付調整が行われる。なお、この状態から手を離すと、係合軸９が第２係合部１１０４の凹部１１０４ａと係合した状態に戻る。このようにプッシュ／プル操作に応じて係合軸９が係合部１１０５の凹部１１０４ａ、１１０４ｂを移動することで、使用者に節度感を付与している。
【００４０】
一方、上述のように、巻真２の当接部２０３は、保持部材６の腕部６０２ａ、６０２ｂで保持されている。そして、腕部６０２ａ、６０２ｂの前方側及び後方側の外面には、突起部６０２ｃ、６０２ｄが形成されている。第２空間１ｂに設けられた端子１０６ｄ、１０６ｅの上方側に折り曲げられた腕部は、これらの突起部６０２ｃ、６０２ｄと対向配置されている。使用者から回転操作が行われると、巻真２の回転に伴って当接部２０３が回転する。当接部２０３を保持する腕部６０２ａ又は腕部６０２ｂは、当接部２０３の回転方向に応じて保持片６０４ａ及び６０４ｂと当接して前方側又は後方側に押圧される。つまり、図４に示す矢印Ａ方向に当接部２０３が回転すると、腕部６０２ａは、保持片６０４ａに当接して前方側に押圧される。一方、図４に示す矢印Ｂ方向に当接部２０３が回転すると、腕部６０２ｂは、保持片６０４ｂと当接して後方側に押圧される。腕部６０２ａ、６０２ｂが前方側、後方側に押圧されると、突起部６０２ｃ、６０２ｄは、それぞれ端子１０６ｄ、１０６ｅに接触する。
【００４１】
第２検出部においては、このような腕部６０２ａ、６０２ｂの突起部６０２ｃ、６０２ｄと、端子１０６ｄ、１０６ｅとの接触状態の変化に応じて使用者から行われた回転操作を検出する。特に、本実施の形態に係る電子部品１００においては、このように回転操作を検出する際、上述したような突起部６０２ｃと端子１０６ｅとの接触時点と、突起部６０２ｄと端子１０６ｄとの接触時点とのタイミングのずれに基づいて使用者から指示された巻真２の回転方向を検出する。
【００４２】
本実施の形態に係る電子部品１００は、このようなプッシュ／プル操作及び回転操作を受け付ける巻真２を、ケース１に対して容易に組み付けすると共に、正確な位置決めすることを可能としたものである。以下、本実施の形態に係る電子部品１００において、巻真２を抜き取る作業及び巻真２を組み付ける作業について図６〜図１３を用いて説明する。
【００４３】
図６〜図９は、本実施の形態に係る電子部品１００において、巻真２を抜き取る作業について説明するための斜視図（各図（ａ））及び断面図（各図（ｂ））である。図１０〜図１３は、本実施の形態に係る電子部品１００において、巻真２を組み付ける作業について説明するための斜視図（各図（ａ））及び断面図（各図（ｂ））である。なお、図６〜図１３においては、説明の便宜上、カバー部材３を省略している。また、図６〜図１３においては、各図（ａ）に示す一点鎖線における断面図を示している。
【００４４】
図６においては、巻真２がケース１に対して装着された場合について示している。この場合においては、図６（ａ）に示すように、壁部１０４の上面に連結アーム１１が取り付けられている。連結アーム１１の第２係合部１１０４の近傍は、壁部１０５の上面に載置されている。連結アーム１１の第１係合部１１０３は、巻真２の保持部２０２に保持されている。係合軸９は、第２係合部１１０４の凹部１１０４ｂに収容されている。当接部材７は、図６（ｂ）に示すように、溝部１０５ａに収容されている。このため、連結アーム１１は、壁部１０５の上面に載置された状態となっている。
【００４５】
図６に示す状態の電子部品１００から巻真２を抜き取る場合には、当接部材７が使用者によって下方側から押し上げられると共に、右方側に巻真２が引っ張られる。図７においては、図６に示す状態の電子部品１００から当接部材７が押し上げられると共に、巻真２が僅かに右方側に引っ張られた状態について示している。当接部材７が押し上げられると、図７（ｂ）に示すように、連結アーム１１がその弾性力に抗して押し上げられ、連結アーム１１の第１係合部１１０３と巻真２の保持部２０２との係合が解除される。なお、このように押し上げられた場合においても、連結アーム１１は、図７（ａ）に示すように、ピン１０よりも上方側に押し上げられることはないため、ピン１０から脱落することはない。この状態で右方側に巻真２が引っ張られると、図７（ａ）に示すように、第１係合部１１０３が保持部２０２から出される。
【００４６】
図８においては、図７に示す状態の電子部品１００から更に巻真２が右方側に引っ張られた状態について示している。図７に示す状態の電子部品１００から巻真２が更に右方側に引っ張られると、図８（ａ）に示すように、第１係合部１１０３の下方側において当接部２０３が右方側に移動していく。なお、図８においては、第１係合部１１０３が当接部２０３の平面部２０３ｂに達していない状態について示している。この状態において、巻真２には、連結アーム１１を介した付勢片３０３ａの付勢力が付与されている。
【００４７】
図９においては、図８に示す状態の電子部品１００から更に巻真２が右方側に引っ張られた状態について示している。図８に示す状態から巻真２が更に右方側に引っ張られると、図９（ａ）に示すように、第１係合部１１０３の下方側において当接部２０３が右方側に移動していく。図９においては、第１係合部１１０３が当接部２０３の平面部２０３ｂに達した状態について示している。第１係合部１１０３が平面部２０３ｂに達すると、連結アーム１１の第２係合部１１０４の近傍は、再び壁部１０５の上面に載置される。この状態において、巻真２は、連結アーム１１による付勢力から解放される。このため、使用者は、巻真２を自由にケース１から抜き取ることが可能となる。
【００４８】
このように本実施の形態に係る電子部品１００においては、巻真２を抜き取る際に連結アーム１１の弾性力に抗して連結アーム１１と巻真２の保持部２０２との係合を解除する当接部材７を備えることにより、巻真２の交換を簡単に行えるようになっている。特に、当接部材７の一部は、ケース１の外部に突出していることから、外部から連結アーム１１と巻真２の保持部２０２との係合を簡単に解除することができるので、外部からの操作によって巻真２の交換を簡単に行えるようになっている。
【００４９】
一方、巻真２をケース１に装着する場合には、切り欠き部１０１ｂを介してケース１の内部に挿入される。図１０においては、ケース１の内部に当接部２０３が挿入された場合について示している。図１０においては、当接部２０３は、連結アーム１１の第１係合部１１０３に当接していない。このため、連結アーム１１の第２係合部１１０４の近傍は、壁部１０５に載置された状態となっている。
【００５０】
図１１においては、図１０に示す状態の電子部品１００から更に巻真２を左方側に押し込んだ状態について示している。図１０に示す状態の電子部品１００から巻真２を更に左方側に押し込むと、図１１（ａ）に示すように、第１係合部１１０３の下方側において当接部２０３が左方側に移動していく。この場合において、当接部２０３は、平面部２０３ｂ上を移動していく。このとき、連結アーム１１の第２係合部１１０４の近傍は、壁部１０５に載置された状態を維持している。なお、ここでは、第１係合部１１０３の下面に対して平面部２０３ｂが対向した状態で押し込まれる場合について示しているが、平面部２０３ｂが直交した状態で押し込むようにしても良い。この場合には、適宜第１テーパ面２０３ａの形状を変更することが好ましい。
【００５１】
図１２においては、図１１に示す状態の電子部品１００から更に巻真２を左方側に押し込んだ状態について示している。図１１に示す状態の電子部品１００から巻真２を更に左方側に押し込むと、図１２（ａ）に示すように、第１係合部１１０３は、当接部２０３の第２テーパ面２０３ｃによって押し上げられる。このため、図１２（ｂ）に示すように、連結アーム１１が上方側に移動する。なお、このように第２テーパ面２０３ｃに押し上げられた場合においても、連結アーム１１は、図１１（ａ）に示すように、ピン１０よりも上方側に押し上げられることはないため、ピン１０から脱落することはない。
【００５２】
このように本実施の形態に係る電子部品１００においては、巻真２における保持部２０２の挿入方向の前方側に、連結アーム１１を押し上げる第２テーパ面２０３ｃを設けている。これにより、巻真２の挿入動作に応じて第２テーパ面２０３ｃで連結アーム１１を押し上げることができるので、部品の構成を簡素化しつつ、連結アーム１１を確実に巻真２の保持部２０２に案内することが可能となる。
【００５３】
図１３においては、図１２に示す状態の電子部品１００から更に巻真２を左方側に押し込んだ状態について示している。図１２に示す状態の電子部品１００から巻真２を更に左方側に押し込むと、図１３（ａ）に示すように、第１係合部１１０３が当接部２０３の第２テーパ面２０３ｃを乗り越え、保持部２０２に保持される。第１係合部１１０３が保持部２０２に収容されると、連結アーム１１が下方側に移動する。このため、連結アーム１１の第２係合部１１０４の近傍は、再び壁部１０５の上面に載置される。このように第１係合部１１０３が保持部２０２に保持されることで、巻真２がケース１に装着された状態となる。
【００５４】
このように本実施の形態に係る電子部品１００においては、巻真２に、巻真２の軸線方向への押圧操作及び引張操作を検出する第１検出部の検出状態を切り替える第１検出状態切替部と、巻真２に対する回転操作を検出する第２検出部の検出状態を切り替える第２検出状態切替部とを設けたことから、単一の巻真２を操作するだけで第１、第２検出部における検出状態を切り替えることができるので、部品内の構造を複雑化させることなく、巻真２に対する押圧操作、引張操作及び回転操作を検出することが可能となる。
【００５５】
特に、本実施の形態に係る電子部品１００においては、第１検出状態切替部を、第１検出部に連結された連結アーム１１の一部を保持する保持部２０２で構成している。このように巻真２に設けられる保持部２０２により第１検出部に連結された連結アーム１１の一部が保持されるので、巻真２に対する押圧操作及び引張操作に応じて確実に第１検出部の検出状態を切り替えることが可能となる。
【００５６】
また、本実施の形態に係る電子部品１００においては、第２検出状態切替部を、巻真２の回転に応じて第２検出部と当接する当接部２０３で構成している。このように巻真２に設けられる当接部２０３を第２検出部に当接させることから、巻真２に対する回転操作に応じて確実に第２検出部の検出状態を切り替えることが可能となる。
【００５７】
さらに、本実施の形態に係る電子部品１００においては、当接部２０３を巻真２の挿入方向（押圧操作方向）の先端部に設ける一方、保持部２０２を当接部２０３よりも巻真２の挿入方向（押圧操作方向）の後方側に設けている。これにより、巻真２の異なる部分で第１、第２検出部における検出状態が切り替えられるので、誤動作を生じさせることなく確実に第１、第２検出部における検出状態を切り替えることが可能となる。
【００５８】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００５９】
例えば、上記実施の形態においては、操作者の回転操作を検出する第２検出部において、巻真２の回転に応じて保持部材６に設けられた突起部６０２ｃ、６０２ｄを時間的にずれた状態で端子１０６ｅ、１０６ｄに当接させることで回転方向を検出する場合について説明している。しかしながら、操作者の回転操作を検出する第２検出部の構成についてはこれに限定されるものではなく、適宜変更が可能である。例えば、巻真２の先端部に所定形状の突起部を有するカムを取り付け、突起部と可動接点との当接タイミングをずらすことで回転方向を検出するようにしても良い。
【００６０】
図１４は、本実施の形態に係る電子部品１００の第２検出部を変形した場合の斜視図である。なお、図１４においては、適宜、上記実施の形態に係る電子部品１００と一部の構成（例えば、壁部１０５及び板ばね８）を変更している。図１４においては、巻真２の先端部に、巻真２と一体的に回転するカム１２が取り付けられている。カム１２の周面には、図１４に示す左右方向の異なる位置にそれぞれ一対の突起部１２０１、１２０２が設けられている。また、突起部１２０１と、突起部１２０２とは、カム１２の回転方向の僅かにずれた位置に設けられている。
【００６１】
一方、ケース１におけるカム１２の下方側には、突起部１２０１、１２０２の位置に合わせて可動接点としての端子１３０１、１３０２が設けられている。これらの端子１３０１、１３０２は、ケース１の底面から僅かに離間した位置に設けられている。端子１３０１、１３０２は、電子部品１００の前後方向に延在して設けられている。端子１３０１、１３０２におけるカム１２の下方側の位置には、上方側に突出した当接部（不図示）が形成されている。これらの当接部には、巻真２の回転に応じて突起部１２０１、１２０２が当接する。また、端子１３０１、１３０２の下方側におけるケース１の底面には、固定接点としての端子１４０１、１４０２（不図示）が設けられている。端子１３０１、１３０２は、当接部に突起部１２０１、１２０２が当接することで下方側に押圧され、それぞれ端子１４０１、１４０２に接触するように構成されている。
【００６２】
このような構成を有する電子部品１００において、巻真２が回転すると、これと共にカム１２が回転する。上述のように、カム１２に設けられた突起部１２０１、１２０２は、その周面において回転方向にずれて配置されている。このため、巻真２の回転方向に応じて異なるタイミングで突起部１２０１、１２０２が端子１３０１、１３０２の当接部に当接する。突起部１２０１、１２０２が端子１３０１、１３０２の当接部に当接すると、端子１３０１、１３０２は、それぞれ下方側（固定接点側）に押圧され、端子１４０１、１４０２に接触する。本電子部品１００においては、このように回転操作を検出する際、端子１３０１と端子１４０１との接触時点と、端子１３０２と端子１４０２との接触時点とのタイミングのずれに基づいて使用者から指示された巻真２の回転方向を検出する。従って、このように第２検出部の構成を変更した場合においても、上記実施の形態と同様に操作者からの回転操作を検出することができる。
【図面の簡単な説明】
【００６３】
【図１】本発明の一実施の形態に係る電子部品の分解斜視図である。
【図２】上記実施の形態に係る電子部品が有するケースの上面図である。
【図３】上記実施の形態に係る電子部品が有する保持部材の構成を説明するための模式図である。
【図４】上記実施の形態に係る電子部品の外観を示す斜視図である。
【図５】図４に示す状態の電子部品からカバー部材を省略した斜視図である。
【図６】上記実施の形態に係る電子部品において、巻真を抜き取る作業について説明するための斜視図（ａ）及び断面図（ｂ）である。
【図７】上記実施の形態に係る電子部品において、巻真を抜き取る作業について説明するための斜視図（ａ）及び断面図（ｂ）である。
【図８】上記実施の形態に係る電子部品において、巻真を抜き取る作業について説明するための斜視図（ａ）及び断面図（ｂ）である。
【図９】上記実施の形態に係る電子部品において、巻真を抜き取る作業について説明するための斜視図（ａ）及び断面図（ｂ）である。
【図１０】上記実施の形態に係る電子部品において、巻真を組み付ける作業について説明するための斜視図（ａ）及び断面図（ｂ）である。
【図１１】上記実施の形態に係る電子部品において、巻真を組み付ける作業について説明するための斜視図（ａ）及び断面図（ｂ）である。
【図１２】上記実施の形態に係る電子部品において、巻真を組み付ける作業について説明するための斜視図（ａ）及び断面図（ｂ）である。
【図１３】上記実施の形態に係る電子部品において、巻真を組み付ける作業について説明するための斜視図（ａ）及び断面図（ｂ）である。
【図１４】上記実施の形態に係る電子部品の第２検出部を変形した場合の斜視図である。
【符号の説明】
【００６４】
１００  電子部品（複合操作型電子部品）
１  ケース
１ａ  第１空間
１ｂ  第２空間
１ｃ  第３空間
１０１ａ、１０１ｂ  切り欠き部
１０２ａ、１０２ｂ  溝部
１０３ａ、１０３ｂ  係合片
１０４、１０５  壁部
１０４ａ  穴部
１０４ｂ、１０５ｃ  係合片
１０５ａ  溝部
１０５ｂ  開口部
１０５ｄ  凹部
１０５ｅ、１０５ｆ  突出部
１０６ａ〜１０６ｅ  端子
１０７  開口部
２  巻真
２０１  リューズ
２０２  保持部
２０３  当接部
２０３ａ  第１テーパ面
２０３ｂ  平面部
２０３ｃ  第２テーパ面
３  カバー部材
３０１  上面部
３０２ａ〜３０２ｄ  側面部
３０３ａ、３０３ｂ  付勢片
３０４  孔部
３０５ａ、３０５ｂ  開口部
３０６ａ、３０６ｂ  開口部
４  スライド部材
４０１  開口部
４０２  突出片
５  摺動子
５０１  孔部
５０２ａ〜５０２ｃ  腕部
６  保持部材
６０１  基部
６０２ａ、６０２ｂ  腕部
６０２ｃ、６０２ｄ  突起部
６０３ａ、６０３ｂ  切り欠き部
６０４ａ、６０４ｂ  保持片
７  当接部材
７０１  脚部
８  板ばね
９  係合軸
１０  ピン
１００１  突起部
１１  連結アーム
１１０１  孔部
１１０２  切り欠き部
１１０３  第１係合部
１１０４  第２係合部
１１０４ａ、１１０４ｂ  凹部
【図１】
2009037790.tif 000003
【図２】
2009037790.tif 000004
【図３】
2009037790.tif 000005
【図４】
2009037790.tif 000006
【図５】
2009037790.tif 000007
【図６】
2009037790.tif 000008
【図７】
2009037790.tif 000009
【図８】
2009037790.tif 000010
【図９】
2009037790.tif 000011
【図１０】
2009037790.tif 000012
【図１１】
2009037790.tif 000013
【図１２】
2009037790.tif 000014
【図１３】
2009037790.tif 000015
【図１４】
2009037790.tif 000016